(57)【要約】【課題】液体の温調制御の設定温度を複数変更可能な電気湯沸かし器において、湯温表示の切替り時のちらつきを防止して違和感をなくし、使い勝手を向上する。【解決手段】容器２内の液体の温度を温度検知手段４により検知して表示手段５に表示し、容器２内の液体の温調制御の設定温度を温度選択入力手段７により変更し、温度選択入力手段７にて温調制御の設定温度が変更されてからの経過時間を経過時間計測手段８により計測し、表示手段５による温度表示を温度表示維持手段１５により維持する。温度表示維持手段１５は、経過時間計測手段７にて計測した時間が第１の所定時間経過するまでは表示手段５による温度表示は更新せず、温度選択入力手段７からの入力を受付けたときの温度表示を維持し、経過時間計測手段８にて計測した時間が第１の所定時間経過後は温度段階的変更手段１４により表示温度を段階的に変化させるよう構成する。【選択図】図１
2009273547.tif 000002
【特許請求の範囲】
【請求項１】
液体を収容する容器と、前記容器内の液体を加熱する加熱源と、前記容器内の液体の温度を検知する温度検知手段と、前記容器内の液体の温度を表示する表示手段と、前記表示手段を制御する制御手段と、前記容器内の液体の温調制御の設定温度を変更する温度選択入力手段と、前記表示手段による温度表示を段階的に変化させる温度段階的変更手段と、前記温度選択入力手段にて温調制御の設定温度が変更されてからの経過時間を計測する経過時間計測手段と、前記表示手段による温度表示を維持する温度表示維持手段とを備え、前記温度表示維持手段は、前記経過時間計測手段にて計測した時間が第１の所定時間経過するまでは前記表示手段による温度表示は更新せず、前記温度選択入力手段からの入力を受付けたときの温度表示を維持し、前記経過時間計測手段にて計測した時間が第１の所定時間経過後は前記温度段階的変更手段により表示温度を段階的に変化させるよう構成した電気湯沸かし器。
【請求項２】
温度段階的変更手段は、第２の所定時間ごとに温度表示を段階的に変化させるようにした請求項１記載の電気湯沸かし器。
【請求項３】
表示手段は、容器内の液体の温度表示と、温度選択入力手段にて温調制御の設定温度が変更されてからの経過時間とを表示するようにした請求項１記載の電気湯沸かし器。
【請求項４】
温度表示維持手段により維持している温度から所定の温度以上変化すると、表示手段による温度表示を更新させる構成とした請求項１〜３のいずれか１項に記載の電気湯沸かし器。
【請求項５】
温度選択入力手段からの入力を受付けたとき、温度表示維持手段により維持している温度データがなければ、第１の所定時間経過していなくても表示手段による温度表示を更新させる構成とした請求項４記載の電気湯沸かし器。
【請求項６】
容器内の液体の水量を検知する水量検知手段を備え、第１の所定時間中、温度表示を維持しているときに、前記水量検知手段により検知した水量に応じて表示手段による温度表示を補正する構成とした請求項１または３記載の電気湯沸かし器。
【請求項７】
表示手段による表示を点滅して行う構成とした請求項１〜５のいずれか１項に記載の電気湯沸かし器。
【発明の詳細な説明】
【技術分野】
【０００１】
本発明は、液体の温調制御の設定温度を複数変更可能な電気湯沸かし器に関するものである。
【背景技術】
【０００２】
従来、電気湯沸かし器は、電源を商用電源による供給からバックアップ電源による供給に移行した後、湯温表示は商用電源の供給が終了したときの温度を第１の所定時間維持させている（例えば、特許文献１参照）。
【０００３】
この電気湯沸かし器によれば、バックアップ電源による電源供給に移行した後、第１の所定時間は商用電源の供給が終了したときの温度表示を維持することで、湯温表示のちらつきを防止し、違和感をなくすことができ、使い勝手を向上させることができるものである。
【特許文献１】特開２００３−１１１６７２号公報
【発明の開示】
【発明が解決しようとする課題】
【０００４】
しかしながら、このような従来の構成では、商用電源の供給中、選択入力手段にて温調制御の設定温度が変更されると、設定変更確定後の温調制御温度によって表示温度領域を独立して持たせていれば、これに基づき温度表示を更新しているために、確定後の温度によっては湯温が未変化にもかかわらず、温度表示が変化してしまう。
【０００５】
このため、商用電源供給からバックアップ電源による電源供給に移行した後の湯温表示は違和感なく、使い勝手はよかったが、商用電源供給中は使用状況によっては、湯温表示がちらつくために、そのようなときは湯温表示に関して違和感があり、使い勝手がよくなかった。
【０００６】
本発明は上記課題を解決するもので、商用電源供給中、温度選択入力手段からの入力を受付けた後、第１の所定時間、表示手段による温度表示は更新せず、温度選択入力手段からの入力を受付けたときの温度表示を維持させ、第１の所定時間経過後は確定温度まで段階的に変化させることで、湯温表示の切替り時のちらつきを防止して違和感をなくし、使い勝手を向上することを目的としている。
【課題を解決するための手段】
【０００７】
本発明は上記目的を達成するために、容器内に収容した液体を加熱減により加熱するとともに、容器内の液体の温度を温度検知手段により検知して表示手段に表示し、表示手段を制御手段により制御し、容器内の液体の温調制御の設定温度を温度選択入力手段により変更し、温度選択入力手段にて温調制御の設定温度が変更されてからの経過時間を経過時間計測手段により計測し、表示手段による温度表示を温度表示維持手段により維持するよう構成し、温度表示維持手段は、経過時間計測手段にて計測した時間が第１の所定時間経過するまでは表示手段による温度表示は更新せず、温度選択入力手段からの入力を受付けたときの温度表示を維持し、経過時間計測手段にて計測した時間が第１の所定時間経過後は温度段階的変更手段により表示温度を段階的に変化させるよう構成したものである。
【０００８】
これにより、湯温表示の切替り時のちらつきを防止することができて、違和感をなくすことができ、使い勝手を向上することができる。
【発明の効果】
【０００９】
本発明の電気湯沸かし器は、第１の所定時間が経過するまでは、表示手段による温度表示は更新せず、温度選択入力手段からの入力を受付けたときの温度表示を維持させ、第１の所定時間経過後は確定温度まで段階的に変化させることで、湯温表示の切替り時のちらつきを防止することができて、違和感をなくすことができ、使い勝手を向上することができる。
【発明を実施するための最良の形態】
【００１０】
第１の発明は、液体を収容する容器と、前記容器内の液体を加熱する加熱源と、前記容器内の液体の温度を検知する温度検知手段と、前記容器内の液体の温度を表示する表示手段と、前記表示手段を制御する制御手段と、前記容器内の液体の温調制御の設定温度を変更する温度選択入力手段と、前記表示手段による温度表示を段階的に変化させる温度段階的変更手段と、前記温度選択入力手段にて温調制御の設定温度が変更されてからの経過時間を計測する経過時間計測手段と、前記表示手段による温度表示を維持する温度表示維持手段とを備え、前記温度表示維持手段は、前記経過時間計測手段にて計測した時間が第１の所定時間経過するまでは前記表示手段による温度表示は更新せず、前記温度選択入力手段からの入力を受付けたときの温度表示を維持し、前記経過時間計測手段にて計測した時間が第１の所定時間経過後は前記温度段階的変更手段により表示温度を段階的に変化させるよう構成したものであり、第１の所定時間が経過するまでは、表示手段による温度表示は更新せず、温度選択入力手段からの入力を受付けたときの温度表示を維持させ、第１の所定時間経過後は確定温度まで段階的に変化させることで、湯温表示の切替り時のちらつきを防止することができて、違和感をなくすことができ、使い勝手を向上することができる。
【００１１】
第２の発明は、上記第１の発明において、温度段階的変更手段は、第２の所定時間ごとに温度表示を段階的に変化させるようにしたものであり、温度表示を一定時間間隔で変化させることで、湯温表示の切替り時の違和感を取り除き、機能性を向上することができる。
【００１２】
第３の発明は、上記第１の発明において、表示手段は、容器内の液体の温度表示と、温度選択入力手段にて温調制御の設定温度が変更されてからの経過時間とを表示するようにしたものであり、温度選択入力手段にて温調制御の設定温度が変更されてからの経過時間も知ることができ、表示手段の利便性および機能性を向上することができる。
【００１３】
第４の発明は、上記第１〜３のいずれか１つの発明において、温度表示維持手段により維持している温度から所定の温度以上変化すると、表示手段による温度表示を更新させる構成としたものであり、例えば、温度選択入力手段からの入力を受付けた直後に水を追加して、所定の温度以上の変化があったときは第１の所定時間経過していなくても表示を更新させることで、表示手段の利便性を向上することができる。
【００１４】
第５の発明は、上記第４の発明において、温度選択入力手段からの入力を受付けたとき、温度表示維持手段により維持している温度データがなければ、第１の所定時間経過していなくても表示手段による温度表示を更新させる構成としたものであり、例えば、温度選択入力手段からの入力を受付ける直前の温度検知手段による検知温度がばらつき、温度データがない場合に、温度選択入力手段からの入力を受付けた直後、温度検知手段による検知温度が安定して温度データができたとき、第１の所定時間経過していなくても表示を更新させることで、第１の所定時間、温度無表示の状態を回避することができる。
【００１５】
第６の発明は、上記第１または第３の発明において、容器内の液体の水量を検知する水量検知手段を備え、第１の所定時間中、温度表示を維持しているときに、前記水量検知手
段により検知した水量に応じて表示手段による温度表示を補正する構成としたものであり、温度選択入力手段からの入力を受付けたときの温度表示を維持している第１の所定時間中に、表示手段による温度表示への補正を行うことができ、容器内の水量に応じた適正な温度表示を行うことができる。
【００１６】
第７の発明は、上記第１〜５のいずれか１つの発明において、表示手段による表示を点滅して行う構成としたものであり、電力消費を低減することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における電気湯沸かし器のシステム構成図を示すものである。
【００１９】
図１に示すように、電源プラグ１は商用電源を供給するためのものであり、容器２は加熱する液体を収容するもので、この容器２を９２５Ｗと７５Ｗの２つのヒータからなる加熱源３により加熱するようにしている。温度検知手段４は容器２内の液体の温度を検知するもので、表示手段５により容器２の中の液体の温度等を表示するようにしている。制御手段６は温度選択入力手段７にて選択された容器２内の液体の温調制御温度に基づき、表示手段５、加熱源３を制御する。温度選択入力手段７は容器２内の液体の温調制御の設定温度を変更するものである。経過時間計測手段８は温度選択入力手段７にて温調制御の設定温度が変更されてからの経過時間を計測する。温度段階的変更手段１４は表示手段５による温度表示を段階的に変化させるものであり、温度表示維持手段１５は表示手段５による温度表示を維持するものである。なお、容器２内の液体はポンプ１１によりパイプ１２を介して吐出口１３より吐出するようにしている。
【００２０】
ここで、温度表示維持手段１５は経過時間計測手段８にて計測した時間が第１の所定時間（例えば、１０秒）経過するまでは表示手段５による温度表示は更新せず、温度選択入力手段７からの入力を受付けたときの温度表示を維持し、経過時間計測手段８にて計測した時間が第１の所定時間（１０秒）経過後は温度段階的変更手段１４により表示温度を段階的に変化させるよう構成している。
【００２１】
上記構成において動作、作用を説明する。電源プラグ１が装着され商用電源が供給されると、まず、温度検知手段４により容器２内の液体の温度を検知し、検知した温度が低い場合には制御手段６により、加熱源３を制御し容器２内の液体の加熱を開始する。また、検知した温度が高い場合には、制御手段６により、加熱源３を制御し容器２内の液体の保温を行う。このとき、制御手段６は表示手段５を制御し、温度検知手段４で検知した液体の温度の表示を行う。
【００２２】
ここで、温度選択入力手段７にて温調制御の設定温度が変更されると、変更後の設定温度にて容器２内の液体を温調制御する。
【００２３】
このとき、経過時間計測手段８により、温調制御の設定温度が変更されてからの経過時間を計測し、第１の所定時間（１０秒）経過するまでは表示温度の変更は禁止し、温調制御の設定温度が変更されたときの温度表示を維持し、第１の所定時間（１０秒）経過後は表示手段５による温度表示の更新は可能とし、温度段階的変更手段１４により表示温度を段階的に変化させる。
【００２４】
これにより、温調制御の設定温度が変更されてから第１の所定時間（１０秒）の間は温
調制御の設定温度が変更されたときの温度表示を維持し、第１の所定時間（１０秒）経過後は確定温度まで段階的に表示温度を変化させることで、第１の所定時間（１０秒）経過直後での表示手段５の温度表示変化幅が大きくなるという違和感をなくすことができる。
【００２５】
以上のように、本実施の形態においては、経過時間計測手段８にて計測した時間が第１の所定時間（例えば、１０秒）経過するまでは表示手段５による温度表示は更新せず、温度選択入力手段７からの入力を受付けたときの温度表示を維持し、経過時間計測手段８にて計測した時間が第１の所定時間（１０秒）経過後は温度段階的変更手段１４により表示温度を段階的に変化させるよう構成したので、第１の所定時間（１０秒）が経過するまでは、表示手段５による温度表示は更新せず、温度選択入力手段７からの入力を受付けたときの温度表示を維持させ、第１の所定時間（１０秒）経過後は確定温度まで段階的に変化させることで、湯温表示の切替り時のちらつきを防止することができて、違和感をなくすことができ、使い勝手を向上することができる。
【００２６】
なお、本実施の形態では、温度段階的変更手段１４による表示温度の段階的変化タイミングに時間制約を設けていないが、第２の所定時間毎、例えば、１秒毎、２秒毎等定間隔で変化するようにしてもよい。このように、温度表示を一定時間間隔で変化させることで、湯温表示の切替り時の違和感を取り除き、機能性を向上することができる。また、定間隔時間は機器の構成、水量等によって決定してもよい。
【００２７】
（実施の形態２）
図１に示す表示手段５は、液体の温度表示と、温度選択入力手段７にて温調制御の設定温度が変更されてから経過時間計測手段８で計測した経過時間とを表示するようにしている。他の構成は上記実施の形態１と同じである。
【００２８】
上記構成において動作、作用を説明する。液体の温度と、経過時間計測手段８で計測した経過時間とを表示手段５で表示することで、使用者が容器２内の液体の温度に加えて、温調制御の設定温度が変更されてからの経過時間も知ることができ、容器２内の液体の状態を容易に想像することができて、表示の利便性を向上することができる。
【００２９】
以上のように、本実施の形態においては、表示手段５は、液体の温度表示と、温度選択入力手段７にて温調制御の設定温度が変更されてからの経過時間とを表示するようにしたので、温度選択入力手段７にて温調制御の設定温度が変更されてからの経過時間も知ることができ、表示手段５の利便性および機能性を向上することができる。
【００３０】
（実施の形態３）
図１に示す温度表示維持手段１５は、表示手段５による温度表示を維持しており、制御手段６は、温度表示維持手段１５により維持している表示温度から所定の温度（例えば、２０℃）以上上昇または下降すると、表示手段５による温度表示を更新させる構成としている。他の構成は上記実施の形態１または２と同じである。
【００３１】
上記構成において動作、作用を説明する。温度表示維持手段１５により維持している表示温度から所定の温度（２０℃）以上上昇または下降すると、表示手段５による温度表示を更新させることにより、温調制御の設定温度が変更された直後に容器２内に液体を追加しても、制御手段６は即座に追加後の温度に応じた表示を表示手段５にて行うことができ、表示の利便性を向上することができる。
【００３２】
以上のように、本実施の形態においては、温度表示維持手段１５により維持している温度から所定の温度（例えば、２０℃）以上変化すると、表示手段５による温度表示を更新させる構成としたので、例えば、温度選択入力手段７からの入力を受付けた直後に水を追
加して、所定の温度以上の変化があったときは第１の所定時間経過していなくても表示を更新させることで、表示手段５の利便性を向上することができる。
【００３３】
（実施の形態４）
図１に示す温度表示維持手段１５は、表示手段５による温度表示を維持しており、制御手段６は、温度選択入力手段７からの入力を受付けたとき、温度表示維持手段１５により維持している温度データがなければ、第１の所定時間（例えば、１０秒）経過していなくても表示手段５による温度表示を更新させる構成としている。他の構成は上記実施の形態１〜３と同じである。
【００３４】
上記構成において動作、作用を説明する。例えば、温度検知手段４で検知する温度がゆらいで温度データが確定していないとき、温調制御の設定温度が変更されて、温調制御の設定温度が変更されたときの温度表示を維持している間に温度検知手段４で検知する温度が安定して温度データが確定した場合は、温度表示がない状態になってしまうのを回避することができ、表示の利便性および機能を向上することができる。
【００３５】
以上のように、本実施の形態においては、温度選択入力手段７からの入力を受付けたとき、温度表示維持手段１５により維持している温度データがなければ、第１の所定時間（例えば、１０秒）経過していなくても表示手段５による温度表示を更新させる構成としたので、例えば、温度選択入力手段７からの入力を受付ける直前の温度検知手段４による検知温度がばらつき、温度データがない場合に、温度選択入力手段７からの入力を受付けた直後、温度検知手段４による検知温度が安定して温度データができたとき、第１の所定時間（１０秒）経過していなくても表示を更新させることで、第１の所定時間、温度無表示の状態を回避することができる。
【００３６】
（実施の形態５）
図２は、本発明の実施の形態５における電気湯沸かし器のシステム構成図を示すものである。
【００３７】
図２に示すように、水量検知手段１０は、容器２内の液体の量を検知するもので、加熱源３により容器２内の液体を加熱しているとき、温度検知手段４で検知する温度の上昇勾配に基づき、容器２内の液体の量を検知するようにしている。制御手段６は、第１の所定時間（例えば、１０秒）中、温度表示を維持しているときに、水量検知手段１０により検知した液体量に応じて、表示手段５による温度表示を補正するようにしている。他の構成は上記実施の形態１または２と同じであり、同一符号を付して説明を省略する。
【００３８】
上記構成において動作、作用を説明する。第１の所定時間（１０秒）中、温度表示を維持しているときに、水量検知手段１０により検知した液体量に応じて、表示手段５による温度表示を補正することで、温度選択入力手段７により温調制御の設定温度が変更された直後も、容器２内の液体の量に応じた適正な温度表示を行うことができる。
【００３９】
以上のように、本実施の形態においては、第１の所定時間中、温度表示を維持しているときに、水量検知手段１０により検知した水量に応じて表示手段５による温度表示を補正する構成としたので、温度選択入力手段７からの入力を受付けたときの温度表示を維持している第１の所定時間中に、表示手段５による温度表示への補正を行うことができ、容器２内の液体の量に応じた適正な温度表示を行うことができる。
【００４０】
なお、本実施の形態では、水量検知手段１０には温度検知手段４で検知する温度に基づき容器２内の液体の量を検知しているが、異なる方式にて容器２内の液体の量を検知する構成としても同様の効果を得ることができる。
【００４１】
（実施の形態６）
図１または図２に示す表示手段５は、表示を点滅（例えば、１秒オン、１秒オフ）して行う構成としている。他の構成は上記実施の形態１〜５と同じである。
【００４２】
上記構成において動作、作用を説明する。表示手段５による表示を点滅することで、表示手段５の点灯時間を削減することができ、消費電力を低減することができる。
【００４３】
以上のように、本実施の形態においては、表示手段による表示を点滅して行う構成としたので、電力消費を低減することができる。
【産業上の利用可能性】
【００４４】
以上のように、本発明にかかる電気湯沸かし器は、第１の所定時間が経過するまでは、表示手段による温度表示は更新せず、温度選択入力手段からの入力を受付けたときの温度表示を維持させ、第１の所定時間経過後は確定温度まで段階的に変化させることで、湯温表示の切替り時のちらつきを防止することができて、違和感をなくすことができ、使い勝手を向上することができるので、液体の温調制御の設定温度を複数変更可能な電気湯沸かし器として有用である。
【図面の簡単な説明】
【００４５】
【図１】本発明の実施の形態１における電気湯沸かし器のシステム構成図
【図２】本発明の実施の形態５における電気湯沸かし器のシステム構成図
【符号の説明】
【００４６】
２  容器
３  加熱源
４  温度検知手段
５  表示手段
６  制御手段
７  温度選択入力手段
８  経過時間計測手段
１４  温度段階的変更手段
１５  温度表示維持手段
【図１】
2009273547.tif 000003
【図２】
2009273547.tif 000004